(57)【要約】      （修正有）【課題】ＩＣカードを持っている人がＩＣカードに組み込まれている情報を電波を使った悪意ある他人に盗まれることを的確に保護する。【解決手段】ＩＣカードを収納するふた付きケースを鉛にて構成すると共にケースの外側を合成樹脂製のフィルムで覆ったことを特徴とするＩＣカードのデータ読み取り防止用具。【選択図】図１
0003115720.tif 000002
【実用新案登録請求の範囲】
【請求項１】
合成樹脂製のフィルムでコーティングした鉛板と鉛板で袋状の用具にしその間にＩＣカードを入れた後その出入り口にふたをすることによりＩＣカードに組み込まれた情報を電波を使い盗もうとしてもその電波を遮断しその用具の外側のボタンで自  分しか知らない暗証番号を入力しＩＣカードに入れてある暗証番号と合致すればＩＣカードからの発信で用具の外側のランプが点灯し持主確認されたのでＩＣカードを取り出し使用することが出来るこの手順をふまず用具からＩＣカードを取り出すとＩＣカードは一瞬にして機能をロックしてしまうので他人にデータを悪用されることなく情報を盗み取られないように保護する用具。
【考案の詳細な説明】
【技術分野】
【０００１】本考案は合成樹脂製のフィルムでコーティングした鉛板と鉛板を袋状の用具にしその間にＩＣカードを入れた後その出入り口にふたをすることにりＩＣカードに組み込まれた情報を電波を使い読み取ろうとしてもその電波を遮断し情報を保護するものである。【０００２】この用具は外側に数字を入力できるボタンを有しＩＣカードを取り出す時はこのボタンで本人しか知らない暗証番号を入力し中に入っているＩＣカードの暗証番号と合致したことを示すランプの点灯を確認してはじめてＩＣカードを取り出す事が出来るもしこの手順をふまずに用具からＩＣカードを取り出したり用具を破壊したり暗証番号を３回以上違う数字を押した場合取り出したＩＣカードは一瞬にして機能をロックし使えなくなる。
【背景技術】
【０００３】電波を用いた悪質なスキマーが鞄や衣服の外側からでも財布の中に入れてあるＩＣカードの情報を盗みとり悪用されると大変危険であるが的確に保護するものはない現状である。
【考案の開示】
【考案が解決しようとする課題】
【０００４】ＩＣカードを所有している人は自分のＩＣカードに組み込まれている情報が他人からの電波の受発信を受けても漏れないように電波を遮断せねばならない。【０００５】ＩＣカードは利用頻度が多く常に携行する必要があるので財布の中に入れていても情報がぬすまれるのでは大変危険である。【０００６】ＩＣカードを落としたり盗まれた場会は無防備で悪用されるのを防護する方法がなく大きな被害をうけることになる。
【課題を解決するための手段】
【０００７】本考案は電波を通さない柔軟性のある鉛板を使用しこの鉛板を合成樹脂製のフィルムでコーティングし鉛が直接人体に触れないようにした上でその鉛板と鉛板で袋状の用具にしその間にＩＣカードを入れた後その出入り口にふたをすることにより電波による情報の読み取りを防止するその上この用具の外側に数字を入力できるボタンを有しＩＣカードを取り出す時はこのボタンで本人しか知らない暗証番号を入力し中に入っているＩＣカードの暗証番号と合致した事を示すランプの点灯を確認してはじめて取り出す事が出来るこの手順をふまず用具からＩＣカードを取りだしたり用具を破壊したり用具の電池切れや暗証番号を３回以上違う数字を押した場合取り出したＩＣカードは一瞬にして機能をロックし使えなくなる。
【本考案の効果】
【０００８】本考案は電波を通さない柔軟性のある鉛板を使用しこの鉛板を合成樹脂製のフィルムでコーティングしこの鉛板と鉛板で袋状の用具にしその間にＩＣカードを入れると電波が遮断されこのＩＣカードに組み込まれた情報は読み取れず盗み取ることはできないしこの用具からＩＣカードを取り出すには暗証番号が合致しなければなないし落としたり盗まれた時も手順が合致しなければＩＣカードは使えなくなるのでＩＣカード内の情報は他人が悪用する事は出来ない。
【考案を実施するための最良の形態】
【０００９】  本考案の実施の形態について図１に基づいて説明する。
（イ）  鉛板に合成樹脂製のフィルムでコーティングをする。
（ロ）  鉛板と鉛板で袋状にしその間にＩＣカードが入る空間をつくる。
（ハ）  ＩＣカードを入れた後に用具の上部にふたするようにする
（ニ）  用具の外側にボタンとランプと電池を組み込む
（ホ）  用具の内側は発信回路と受信回路を持っている
【図面の簡単な説明】
【００１０】
【図１】本考案の斜視図
【図２】本考案の断面図  （Ａ）用具の外側を示す  （Ｂ）用具の内側を示す
【図３】本考案の断面図
【符号の説明】
【００１１】１    鉛板
２    合成樹脂製のフィルム
３    ＩＣカード
４    鉛板を組み込んだ用具
５    鉛板を組み込んだ用具のふた
６    数字入力ボタン
７    表示ランプ
８    電池
９    受発信回路
【図１】
0003115720.tif 000003
【図２】
0003115720.tif 000004
【図３】
0003115720.tif 000005
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
ＩＣカードを収納するふた付きのケースを鉛にて構成すると共にケースの外側を合成樹脂製のフィルムで覆ったことを特徴とするＩＣカードのデータ読み取り防止用具。
【手続補正２】
【補正対象書類名】明細書
【補正対象項目名】全文
【補正方法】変更
【補正の内容】
【考案の詳細な説明】
【技術分野】
【０００１】本考案はＩＣカードを収納するふた付きのケースを鉛にて構成すると共にケースの外側を合成樹脂製のフィルムで覆ったことを特徴とするＩＣカードのデータ読み取り防止用具。
【背景技術】
【０００２】悪意のある者が電波を用い鞄や衣服の外側からでも財布の中に入れてあるＩＣカードの情報を盗み悪用されると大変危険であるが的確に保護するものはない現状である。
【考案の開示】
【考案が解決しようとする課題】
【０００３】ＩＣカードを所有している人は自分のＩＣカードに組み込まれている情報が他人からの電波の受発信を受けても漏れないように電波を遮断せねばならない。【０００４】ＩＣカードは利用頻度が多く常に携行する必要があるので財布の中に入れていても情報が盗まれるのでは大変危険である。
【課題を解決するための手段】
【０００５】本考案はＩＣカードを収納するふた付きケースを鉛にて構成すると共にケースの外側を合成樹脂製のフィルムで覆ってあり電波を遮断するので中に入れているＩＣカードの情報の読み取りを防止する。
【本考案の効果】
【０００６】本考案はＩＣカードを収納するふた付きケースを鉛にて構成すると共にケースの外側を合成樹脂製のフィルムで覆ってあり電波を遮断するのでこのケースの中にＩＣカードを入れておくと情報は読み取れず盗み取ることはできないので他人に悪用されることはない。
【考案を実施するための最良の形態】
【０００７】    本考案の実施の形態について図１に基づいて説明する。（イ）ＩＣカードを収納するふた付きケース（ロ）鉛を合成樹脂製のフィルムで覆う
【図面の簡単な説明】
【０００８】
【図１】本考案の断面図
【図２】本考案の平面図
【符号の説明】
【０００９】１    鉛板２    合成樹脂製のフィルム３    ＩＣカード４    ＩＣカードを収納するふた付きケース
【手続補正３】
【補正対象書類名】図面
【補正対象項目名】全図
【補正方法】変更
【補正の内容】
【図１】
0003115720.tif 000006
【図２】
0003115720.tif 000007